(57)【要約】【課題】駐車中の車室内温度の上昇を抑制し得る駐車場所の情報提供を可能とする情報提供装置及びコンピュータプログラムを提供する。【解決手段】目的地の設定を受け付け、前記目的地への経路及び前記目的地周辺の駐車場の情報を提供する情報提供装置において、前記目的地周辺の駐車場が日陰となるエリアを含むか否かを判断する判断部と、該判断部が日陰となるエリアを含むと判断した場合、前記エリアへの経路案内を音声又は画像により出力する出力部とを備える。【選択図】図１
2017161481.tif 000002
【特許請求の範囲】
【請求項１】
目的地の設定を受け付け、前記目的地への経路及び前記目的地周辺の駐車場の情報を提供する情報提供装置において、
前記目的地周辺の駐車場が日陰となるエリアを含むか否かを判断する判断部と、
該判断部が日陰となるエリアを含むと判断した場合、前記エリアへの経路案内を音声又は画像により出力する出力部と
を備えることを特徴とする情報提供装置。
【請求項２】
前記目的地における滞在時間を受け付ける滞在時間受付部を更に備え、
受け付けた滞在時間が所定時間以上である場合に、前記判断部による判断を行なう
ことを特徴とする請求項１に記載の情報提供装置。
【請求項３】
前記目的地における日照の有無を判断する日照判断部を更に備え、
該日照判断部が日照有と判断した場合に、前記判断部による判断を行なう
ことを特徴とする請求項１に記載の情報提供装置。
【請求項４】
目的地の設定を受け付ける受付部、音声又は画像を出力する出力部と接続するコンピュータに、前記目的地への経路及び目的地周辺の駐車場の情報を前記出力部から出力させるコンピュータプログラムにおいて、
前記コンピュータに、
前記目的地周辺の駐車場が日陰となるエリアを含むか否かを判断するステップ、及び
日陰となるエリアを含むと判断された場合、前記エリアへの経路案内を前記出力部から出力させるステップ
を実行させることを特徴とするコンピュータプログラム。
【発明の詳細な説明】
【技術分野】
【０００１】
本発明は、推奨の駐車場所の情報提供を可能とする情報提供装置及びコンピュータプログラムに関する。
【背景技術】
【０００２】
外気温が高く日射量が多い季節は特に、車輌を駐車している間に車室内温度が上昇し、ユーザが車室内へ入室することが不可能なほどに高温となる等、不快な状態となる。駐車中の車輌の車室内温度の上昇を抑制するためユーザは個々に、車室内の日射を遮るサンシェードを設置するなど工夫を凝らしている。
【０００３】
特許文献１には、駐車中の車室内温度の上昇を抑制すべく、駐車中に、電動サンシェードを作動させ、更に、空調ユニットを用いて車室内を換気させる構成が提案されている。
【先行技術文献】
【特許文献】
【０００４】
【特許文献１】特開２００４−１１４９００号公報
【発明の概要】
【発明が解決しようとする課題】
【０００５】
特許文献１に開示されている方法を用い、特に空調ユニットを使用して換気を実施する場合、長時間駐車状態となるときにはバッテリ上がりの問題が発生する可能性がある。当初から日陰となる駐車場所をユーザが知り得ることができれば、長時間車輌を駐車させた場合に空調ユニットを使用せずとも、車室内温度の上昇を抑制することが可能である。
【０００６】
本発明は斯かる事情に鑑みてなされたものであり、駐車中の車室内温度の上昇を抑制し得る駐車場所の情報提供を可能とする情報提供装置及びコンピュータプログラムを提供することを目的とする。
【課題を解決するための手段】
【０００７】
本発明の一態様に係る情報提供装置は、目的地の設定を受け付け、前記目的地への経路及び前記目的地周辺の駐車場の情報を提供する情報提供装置において、前記目的地周辺の駐車場が日陰となるエリアを含むか否かを判断する判断部と、該判断部が日陰となるエリアを含むと判断した場合、前記エリアへの経路案内を音声又は画像により出力する出力部とを備える。
【０００８】
本発明の一態様に係るコンピュータプログラムは、目的地の設定を受け付ける受付部、音声又は画像を出力する出力部と接続するコンピュータに、前記目的地への経路及び目的地周辺の駐車場の情報を前記出力部から出力させるコンピュータプログラムにおいて、前記コンピュータに、前記目的地周辺の駐車場が日陰となるエリアを含むか否かを判断するステップ、及び日陰となるエリアを含むと判断された場合、前記エリアへの経路案内を前記出力部から出力させるステップを実行させる。
【０００９】
なお本願は、このような特徴的な各構成部を備える情報提供装置として実現することができるだけでなく、かかる特徴的なステップを含む情報提供方法として実現することができる。また、情報提供装置の一部又は全部を実現する半導体集積回路として実現したり、情報提供装置を含むその他のシステムとして実現したりすることができる。
【発明の効果】
【００１０】
上記によれば、駐車中の車室内温度の上昇を抑制し得る駐車場所の情報提供が可能となる。
【図面の簡単な説明】
【００１１】
【図１】実施の形態１における情報提供システムの概要を示す説明図である。
【図２】実施の形態１におけるナビＥＣＵの内部構成を示すブロック図である。
【図３】実施の形態１におけるサーバ装置の内部構成を示すブロック図である。
【図４】サーバ装置で記憶されている駐車場情報の内容例を示す説明図である。
【図５】実施の形態１における情報提供処理手順の一例を示すフローチャートである。
【図６】実施の形態１における情報提供処理手順の一例を示すフローチャートである。
【図７】ステップＳ１１４で出力される詳細な案内画面の一例を示す説明図である。
【図８】実施の形態２におけるサーバ装置にて記憶されている駐車場の情報の内容例を示す説明図である。
【図９】実施の形態２における情報提供処理手順の一例を示すフローチャートである。
【図１０】実施の形態２における情報提供処理手順の一例を示すフローチャートである。
【発明を実施するための形態】
【００１２】
［本発明の実施形態の説明］
最初に本発明の実施態様を列記して説明する。また、以下に記載する実施形態の少なくとも一部を任意に組み合わせてもよい。
【００１３】
（１）本発明の一態様に係る情報提供装置は、目的地の設定を受け付け、前記目的地への経路及び前記目的地周辺の駐車場の情報を提供する情報提供装置において、前記目的地周辺の駐車場が日陰となるエリアを含むか否かを判断する判断部と、該判断部が日陰となるエリアを含むと判断した場合、前記エリアへの経路案内を音声又は画像により出力する出力部とを備える。
【００１４】
本発明の一態様では、目的地周辺の駐車場が日陰となるエリアを含む場合に該エリアへの経路案内が出力される。これによりユーザは、事前に日陰となるエリアへの経路を知り得るから、車室内温度の上昇を抑制する場所へ車輌を駐車させることが可能になる。
【００１５】
（２）本発明の一態様に係る情報提供装置は、前記目的地における滞在時間を受け付ける滞在時間受付部を備え、受け付けた滞在時間が所定時間以上である場合に、前記判断部による判断を行なう。
【００１６】
本発明の一態様では、滞在時間が所定時間以上である場合のみ日陰となるエリアの有無が判断される。滞在時間が短いことが推測され、車室内温度が不快となる程の高温とならないことが推測される場合には、日陰エリアへの駐車の要望は高くないから、不要な案内が回避される。
【００１７】
（３）本発明の一態様に係る情報提供装置は、前記目的地における日照の有無を判断する日照判断部を更に備え、該日照判断部が日照有と判断した場合に、前記判断部による判断を行なう。
【００１８】
本発明の一態様では、日照がある場合のみ日陰となるエリアの有無が判断される。夜間などの時間帯、晴れ間が無い天候であるとき、外気温が高くない季節であるとき等、車室内温度が不快となる程の高温とならないことが推測される場合には、日陰エリアへの駐車の要望は高くないから、不要な案内が回避される。
【００１９】
（４）本発明の一態様に係る情報提供システムは、目的地の設定を受け付け、目的地への経路を案内する経路案内装置と、複数の駐車場夫々の位置情報に対応付けて駐車場の情報を予め記憶しており、前記経路案内装置と通信接続を行なう通信部を備える情報記憶装置とを含み、前記経路案内装置は前記情報記憶装置と通信接続を行なう通信部を備えて前記目的地周辺の駐車場の情報を前記情報記憶装置から受信し、受信した駐車場の情報を提供する情報提供システムにおいて、前記経路案内装置は、前記情報記憶装置から受信した駐車場の情報が、日陰となるエリアを含むことを示すか否かを判断する判断部と、該判断部が日陰となるエリアを含むと判断した場合、前記エリアへの経路案内を音声又は画像により出力する出力部とを備える。
【００２０】
本発明の一態様にあっては上述の態様（１）同様に、目的地周辺の駐車場が日陰となるエリアを含む場合に該エリアへの経路案内が出力される。経路案内装置と通信接続が可能な情報記憶装置において複数の駐車場の情報を予め記憶し、更に常時的に最新の情報に更新されるようにしておくことにより、時間帯による日陰の有無、日陰のエリアが空いているか否か等のリアルタイムで適切な情報が経路案内装置にて入手可能となる。
【００２１】
（５）本発明の一態様に係る情報提供方法は、目的地の設定を受け付け、音声又は画像を出力する出力部と接続するコンピュータが、前記目的地への経路及び前記目的地周辺の駐車場の情報を前記出力から出力して提供する情報提供方法において、前記コンピュータは、前記目的地周辺の駐車場が日陰となるエリアを含むか否かを判断し、日陰となるエリアを含むと判断された場合、前記エリアへの経路案内を音声又は画像により出力する。
【００２２】
本発明の一態様にあっては上述の態様（１）同様に、目的地周辺の駐車場が日陰となるエリアを含む場合に該エリアへの経路案内が出力される。
【００２３】
（６）本発明の一態様に係るコンピュータプログラムは、目的地の設定を受け付ける受付部、音声又は画像を出力する出力部と接続するコンピュータに、前記目的地への経路及び目的地周辺の駐車場の情報を前記出力部から出力させるコンピュータプログラムにおいて、前記コンピュータに、前記目的地周辺の駐車場が日陰となるエリアを含むか否かを判断するステップ、及び日陰となるエリアを含むと判断された場合、前記エリアへの経路案内を前記出力部から出力させるステップを実行させる。
【００２４】
本発明の一態様にあっては上述の態様（１）同様に、目的地周辺の駐車場が日陰となるエリアを含む場合に該エリアへの経路案内が出力される。
【００２５】
［本発明の実施形態の詳細］
本発明の実施形態に係る車載通信システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２６】
（実施の形態１）
図１は、実施の形態１における情報提供システム１００の概要を示す説明図である。情報提供システム１００は、車輌Ｖに搭載されているナビゲーションＥＣＵ（以下、ナビＥＣＵと言う）１、車外通信ＥＣＵ２及び車内ネットワーク３と、車外に設置されているサーバ装置４と、車外通信ＥＣＵ２及びサーバ装置４間の通信を仲介する基地局４５を有するネットワークＮとを含む。
【００２７】
車外通信ＥＣＵ２は、ネットワークＮの基地局４５との間で無線通信を実現する通信モジュールを有し、これにより、ネットワークＮに接続されているサーバ装置４へ情報を送信し、更にサーバ装置４から自身宛の情報を受信することが可能である。通信モジュールは例えば、第３世代通信規格、更に次世代、又は次々世代高速携帯通信規格等による無線通信を可能とする。
【００２８】
サーバ装置４は、ナビゲーションシステムに関連する種々の情報提供サービスを実施する情報提供者により管理されている。特に実施の形態１におけるサーバ装置４は、地図情報（緯度経度等の位置情報）に対応付けて駐車場の情報を記憶しており、この駐車場の情報を提供する。記憶されている駐車場の情報の内容については後述する。
【００２９】
車輌Ｖに搭載されているナビＥＣＵ１及び車外通信ＥＣＵ２はいずれも車内ネットワーク３に接続されており、ナビＥＣＵ１は、車外通信ＥＣＵ２との間で情報を送受信することが可能である。即ちナビＥＣＵ１は、車外通信ＥＣＵ２を経由してサーバ装置４との間で情報を送受信することが可能である。
【００３０】
またナビＥＣＵ１は、車輌Ｖに搭載されているディスプレイ５及びスピーカ６と接続されている。情報提供システム１００においてナビＥＣＵ１は基本的に、地図情報を元に車輌Ｖの位置をディスプレイ５に表示させ、設定された目的地への経路を地図上に表示し、スピーカ６にて音声案内を出力するナビゲーションシステムの機能を発揮する。本開示の実施の形態では、ナビＥＣＵ１はそのナビゲーションシステムの機能に加え、サーバ装置４と送受信する情報を基に、設定された目的地付近の推奨駐車場及びその駐車場内の推奨エリアの情報を提供する機能を更に実現する。特に本開示では、推奨エリアとして、駐車中の車室内温度の上昇を抑制し得る駐車場所が存在する場合にその情報を提供する機能を実現する。
【００３１】
このような機能を実現すべく情報提供システム１００は、以下のような構成を有する。図２は、実施の形態１におけるナビＥＣＵ１の内部構成を示すブロック図である。ナビＥＣＵ１は、制御部１０、記憶部１１、入力部１２、画像出力部１３、音声出力部１４、ＧＰＳ（Global Positioning System ）受信部１５、及び通信部１６を備える。
【００３２】
制御部１０はマイクロコントローラを用いる。制御部１０は、ＣＰＵ（Central Processing Unit ）、内部メモリ、クロック、及び通信コントローラ等を含み、外部メモリである記憶部１１に記憶されるナビゲーションプログラム１Ｐに基づき各構成部を制御する。なお制御部１０は、イグニッションスイッチ（スタートスイッチ）のオン／オフを示す信号を入力し、イグニッションスイッチがオンとなった場合に起動し、オフとなった場合には停止（又はスリープ状態へ遷移）するようにしてある。
【００３３】
記憶部１１は、フラッシュメモリ等の不揮発性記憶媒体を用いる。記憶部１１は、制御部１０が処理中に参照する各種データ、地図情報、ナビゲーションプログラム１Ｐを記憶している。ナビゲーションプログラム１Ｐは、経路案内に係る処理を実行させるプログラムの他、後述する駐車場の情報を提供する処理を実行させるプログラムを内部に含む。制御部１０は記憶部１１を参照して各種情報及びプログラムの読み出しが可能である。
【００３４】
入力部１２は、車輌Ｖのインストルメントパネルに設けられている操作パネルと接続されており、操作パネルにて受け付けられた各種ボタンを検知する信号を入力する。なお操作パネルはディスプレイ５が内蔵するタッチパネルを含んで構成され、入力部１２はディスプレイ５にて表示される操作画面上で選択されたアイコンを識別する情報を入力するようにしてもよい。なお操作パネルはユーザが所持するスマートフォンの表示パネルであってもよく、この場合、無線通信又は有線通信により入力部とスマートフォンとが接続される。
【００３５】
画像出力部１３は、車室内のインストルメントパネルに設けられたディスプレイ５と接続されており、制御部１０の制御に基づき、ディスプレイ５へ地図情報に基づく地図画像、自車位置を示す画像等を表示するための画像信号を出力する。
【００３６】
音声出力部１４は、車室内に設けられたスピーカ６と接続されており、制御部１０の制御に基づき、スピーカ６にて案内音声を出力するための音声信号を出力する。
【００３７】
ＧＰＳ受信部１５は、ＧＰＳ衛星からの情報を受信して、ナビＥＣＵ１を搭載している車輌Ｖの位置情報及び時刻情報を取得する。
【００３８】
通信部１６は、ＣＡＮトランシーバ又はEthernet（登録商標）ネットワークカード等の通信デバイスを用い、車内ネットワーク３と接続されている。通信部１６は、制御部１０の通信コントローラの機能に基づき所定の通信プロトコルに基づいて車内ネットワーク３を介した情報の送受信を実現する。車内ネットワーク３には、上述した車外通信ＥＣＵ２が接続されている他、ゲートウェイ装置を介して走行制御系、ボディ制御系の他のＥＣＵ群も接続されており、制御部１０は必要に応じて、これらのＥＣＵ群からの情報を通信部１６にて受信することも可能である。
【００３９】
図３は、実施の形態１におけるサーバ装置４の内部構成を示すブロック図である。サーバ装置４はサーバコンピュータを用い、制御部４０、記憶部４１、及び通信部４２を備える。制御部４０はＣＰＵを用い、記憶部４１に記憶されているサーバコンピュータプログラムに基づき各構成部を制御する。記憶部４１はハードディスクを用い、サーバコンピュータプログラムのほか、提供する駐車場情報４１０を記憶している。通信部４２は、ネットワークＮに接続されているEthernet（登録商標）又は光通信用のネットワークカードを用い、ネットワークＮを介して外部装置との通信を実現する。
【００４０】
図４は、サーバ装置４で記憶されている駐車場情報４１０の内容例を示す説明図である。駐車場情報４１０は、地図情報（緯度経度等の位置情報）に対応付けて駐車場の種別、特徴、提携施設の情報を含む。種別には、施設の敷地内の駐車場であるか否か、屋内外の区別、屋根の有無、立体駐車場であるか否か等が含まれている。特徴には、階層の有無、階層がある場合には階層の数、区画毎の広さ、区画間の広さ、初心者向けであるか否か（難易度）、並びに日陰のエリアの有無及び日陰のエリアの範囲の情報が含まれる。日陰のエリアの範囲の情報は、例えばその範囲を示す緯度経度を含む地図情報である。区画ごとに区別が可能である駐車場である場合は、区画の識別情報でもよい。また、駐車場の全体における部分を方角（例えば北西部分等）にて示すようにしてもよい。提携施設の情報は、提携施設の名称（図３では識別情報）又は地図情報が対応付けられている。
【００４１】
図４にて示された情報を用いて情報提供システム１００にて実現される情報提供についてフローチャートを参照して説明する。図５及び図６は、実施の形態１における情報提供処理手順の一例を示すフローチャートである。ナビＥＣＵ１の制御部１０が、イグニッションスイッチがオン状態となったことを検知して起動し、目的地の設定メニューが選択された場合に、ナビゲーションプログラム１Ｐに基づき以下の処理を開始する。
【００４２】
制御部１０は、ディスプレイ５に表示させる操作画面に基づき目的地の設定を入力部１２にて受け付ける（ステップＳ１０１）。制御部１０は、ステップＳ１０１にて受け付けた目的地までの経路を探索して目的地への経路を案内する画面の出力及び音声の出力を開始する（ステップＳ１０２）。更に制御部１０は、滞在推定時間の入力を入力部１２にて受け付ける（ステップＳ１０３）。
【００４３】
次に制御部１０は、目的地の位置情報を通信部１６から車外通信ＥＣＵ２によりサーバ装置４宛てに送信する（ステップＳ１０４）。通信部１６からサーバ装置４宛てに、目的地の位置情報がナビＥＣＵ１を識別する情報と共にネットワークＮへ送信される。
【００４４】
このときサーバ装置４側では、ナビＥＣＵ１から送信された目的地の地図情報及び滞在推定時間を受信し（ステップＳ４１）、目的地の地図情報に基づき駐車場情報４１０から周辺（所定の距離内）の駐車場の情報が抽出される（ステップＳ４２）。サーバ装置４は抽出された駐車場に対応付けて記憶してある駐車場の情報をナビＥＣＵ１宛てに返信する（ステップＳ４３）。
【００４５】
ナビＥＣＵ１の制御部１０は、抽出された駐車場に対応する駐車場の情報を受信し（ステップＳ１０５）、一時記憶し（ステップＳ１０６）、その駐車場の情報に基づき１つの駐車場を決定する（ステップＳ１０７）。ステップＳ１０７において制御部１０は、複数の駐車場の情報を受信した場合には、目的地の敷地内の駐車場、目的地に最も近い駐車場又は目的地を提携施設とする駐車場など所定の推奨（お勧め）基準に基づいて決定するとよい。又はステップＳ１０６おいて、駐車場のリストをディスプレイ５に表示させ、選択を促す表示を更に画像出力部１３から出力させるか、又は選択を促す音声を音声出力部１４から出力させ、ユーザからの選択を受け付けて１つの駐車場を決定ようにしてもよい。
【００４６】
制御部１０は、決定した駐車場に対応する駐車場の情報を参照し、該情報に含まれる種別に基づき、選択した駐車場が屋内駐車場（屋根付きの駐車場）であるか否かを判断する（ステップＳ１０８）。
【００４７】
ステップＳ１０８にて屋内駐車場でないと判断された場合（Ｓ１０８：ＮＯ）、制御部１０は目的地に接近しているか否かを判断する（ステップＳ１０９）。ステップＳ１０９にて制御部１０は、目的地までの経路長さ又は到着予定時刻までの残り時間に基づいて所定の長さ以内又は所定時間以内であると判断した場合に目的地に接近していると判断する。
【００４８】
ステップＳ１０９にて目的地に接近していないと判断された場合（Ｓ１０９：ＮＯ）、制御部１０は、処理をステップＳ１０９へ戻す。この場合、目的地への経路を案内する画面の出力及び音声の出力が継続される。
【００４９】
ステップＳ１０９にて目的地に接近していると判断された場合（Ｓ１０９：ＹＥＳ）、制御部１０は、ステップＳ１０７にて決定している駐車場の空き情報をサーバ装置４へ問い合わせてこれに対する応答を受信する（ステップＳ１１０）。駐車場の空き情報は、駐車場全体について空きがあるか否かを示す情報か、又は駐車場内の空き区画を特定する情報によって受信する。制御部１０は、受信した応答に基づいて空きがある（空車）であるか否かを判断する（ステップＳ１１１）。
【００５０】
ステップＳ１１１にて空きがあると判断された場合（Ｓ１１１：ＹＥＳ）、制御部１０はステップＳ１０３にて受け付けられた推定滞在時間が所定時間以上であるか否かを判断する（ステップＳ１１２）。このとき所定時間とは例えば３０分である。
【００５１】
ステップＳ１１２にて推定滞在時間が所定時間以上であると判断された場合（Ｓ１１２：ＹＥＳ）、制御部１０はステップＳ１０７にて決定している駐車場に対応する駐車場の情報を参照して日陰エリアがあるか否かを判断する（ステップＳ１１３）。
【００５２】
ステップＳ１１３にて日陰エリアがあると判断された場合（Ｓ１１３：ＹＥＳ）、制御部１０は、日陰のエリアまでの経路を詳細に案内する画面及び音声、又はいずれか一方を出力する（ステップＳ１１４）。なお決定されている駐車場が区画毎に空いているか否かを判別できる駐車場である場合には、日陰であって空いている区画が示されることがより好ましい。
【００５３】
次に制御部１０は、目的地に到着したか否かを判断する（ステップＳ１１５）。目的地に到着していないと判断した場合（Ｓ１１５：ＮＯ）、処理をステップＳ１１５へ戻し、詳細な経路案内を継続させる。
【００５４】
ステップＳ１１５にて目的地に到着したと判断された場合（Ｓ１１５：ＹＥＳ）、制御部１０は、詳細な経路を含む目的地への経路案内を終了し（ステップＳ１１６）、ナビゲーションに係る処理を終了する。
【００５５】
ステップＳ１０８にて屋内駐車場であると判断された場合（Ｓ１０８：ＹＥＳ）、制御部１０は目的地に接近しているか否かを判断する（ステップＳ１１７）。目的地に接近していないと判断された場合（Ｓ１１７：ＮＯ）、制御部１０は処理をステップＳ１１７へ戻し、目的地への経路を案内する画面の出力及び音声の出力が継続される。
【００５６】
ステップＳ１１７にて目的地に接近していると判断された場合（Ｓ１１７：ＹＥＳ）、制御部１０は決定されている駐車場における推奨エリアまでの経路を詳細に案内する画面及び音声、又はいずれか一方を出力し（ステップＳ１１８）、処理をステップＳ１１５へ進める。ステップＳ１１８における推奨エリアとは、例えば、決定されている駐車場中で空いている区画である。また決定されている駐車場が複数階層である場合には、空いている階層を推奨エリアとして案内するようにしてもよい。更に推奨エリアとして、駐車のための運転操作が比較的容易であると推測されるエリアを示してもよい。この場合は例えば、混雑していない区画が多いエリアなどである。
【００５７】
ステップＳ１１１にて空きがない即ち満車であると判断された場合（Ｓ１１１：ＮＯ）、制御部１０は満車であってもそのままステップＳ１１８及びＳ１１５の処理を実行し、推奨エリアへの詳細経路の案内を継続する。なお制御部１０はステップＳ１１１にて満車であると判断された場合、他の駐車場を選択してＳ１０８以降の処理を実行するようにしてもよいし、満車であると判断されてもそのままステップＳ１１２〜Ｓ１１４の処理へ進めるようにしてもよい。
【００５８】
ステップＳ１１２にて推定滞在時間が所定時間未満であると判断された場合（Ｓ１１２：ＮＯ）、及びステップＳ１１３にて日陰のエリアがないと判断された場合（Ｓ１１３：ＮＯ）、制御部１０はステップＳ１１８へ処理を進める。
【００５９】
図７は、ステップＳ１１４で出力される詳細な案内画面の一例を示す説明図である。図７中、旗印が示されている場所は目的地を示し、また、破線で囲まれている範囲は、決定された駐車場の範囲を示している。なお図７に示す場合の駐車場は、目的地の施設（例えばショッピングモール）の敷地内の駐車場であるために優先して決定されている。更に図７中の車輌のイラストにて車輌Ｖの現在位置が示されている。図７中の破線で囲まれている範囲の内、ハッチングにて示されている範囲が駐車場の情報に含まれていた日陰エリアを示す範囲であり、該範囲への矢印によって日陰エリアへの経路が示されている。
【００６０】
このようにして、車輌Ｖが目的地に接近したときに日陰エリアを含む推奨されるエリアへの詳細な経路がディスプレイ５及びスピーカ６にて出力される。目的地へ接近中に当初から日陰エリアの場所を知ることができるためユーザは、車室内温度の上昇を抑制させ、車輌Ｖを駐車させて目的地に滞在し、再び車輌Ｖに乗り込む際に車室内が不快なほどに高温となっていることを回避できる可能性が高い。
【００６１】
図５及び図６のフローチャートにて処理手順におけるステップＳ１０８にて示したように、決定された駐車場が屋外（屋根なし）であるときのみに日陰エリアへの案内が出力される構成とした。これにより、不要な案内を回避し、ナビＥＣＵ１における案内をより適正化することができる。
【００６２】
同様にしてステップＳ１１２にて示したように、推定される滞在時間が所定時間以上であるときのみに日陰エリアへの案内が出力される構成とした。これにより、不要な案内を回避し、ナビＥＣＵ１における案内をより適正化することができる。
【００６３】
なおステップＳ１０３における滞在推定時間の入力は必須ではない。例えば目的地の種別（ショッピングモール／コンビニエンスストア等）に対応付けて平均的な滞在時間が記憶されている構成とし、制御部１０はステップＳ１０３の処理に代替して、目的地に対応付けて記憶されてある平均的な滞在時間を読み出す構成としてもよい。
【００６４】
（実施の形態２）
実施の形態２では、季節、天候、時刻に基づいてより詳細に日陰となるエリアを案内し、ナビＥＣＵ１における案内が更に適正化される。実施の形態２における情報提供システム１００のハードウェア構成は、実施の形態１における構成と同様であるから、実施の形態１と共通する構成については同一の符号を付して詳細な説明を省略する。
【００６５】
図８は、実施の形態２におけるサーバ装置４にて記憶されている駐車場情報４１０の内容例を示す説明図である。図８に示すように実施の形態２では、図４に示した実施の形態１における駐車場情報４１０と比較すると、Ｐ０１の識別情報の駐車場が、時間帯によって日陰のエリアが異なる場合の情報も含まれている。
【００６６】
図９及び図１０は、実施の形態２における情報提供処理手順の一例を示すフローチャートである。図９及び図１０のフローチャートに示す処理手順の内、実施の形態１における図５及び図６に示した処理手順と共通する処理手順については、同一のステップ番号を付して詳細な説明を省略する。
【００６７】
実施の形態２において制御部１０は、目的地の設定を受け付けると（Ｓ１０１）、目的地への到着時刻を推定によって求める（ステップＳ１２１）。そして制御部１０は、推定滞在時間の入力を受け付けると（Ｓ１０３）、ステップＳ１２１で推定した到着時刻及びステップＳ１０３で受け付けた推定滞在時間に基づき、駐車後に再度車輌Ｖに乗り込む時刻を推定する（ステップＳ１２２）。
【００６８】
そして制御部１０は、ステップＳ１２２で推定した時刻での日照の有無を判断する（ステップＳ１２３）。ステップＳ１２３において制御部１０は例えば、夏期（６月〜８月）でない場合には日照無と判断する。車室内が不快になるほどに高温になる時期のみ、日陰エリアへの経路案内を行なうためである。また制御部１０は、推定した時刻が日没後である場合は日照無と判断する。更に制御部１０は、天候の情報を取得し、少なくとも推定した時刻にて目的地付近が晴れである以外の場合には、日照無と判断する。またステップＳ１２３においては、推定滞在時間が所定時間未満である場合も日照無と判断するとよい。推定滞在時間が、車室内が高温化しない程度の短い時間である場合には、日陰エリアへの経路案内が行なわれないようにするためである。
【００６９】
ステップＳ１２３にて日照有と判断された場合（Ｓ１２３：ＹＥＳ）、制御部１０は、受信して記憶した駐車場の情報に基づき、種別として屋内、又は特徴として日陰ありの情報を含む駐車場を優先して決定する（ステップＳ１２４）。この場合、制御部１０は、目的地の敷地内の駐車場よりも優先して、屋内又は日陰ありの駐車場を優先して決定してもよい。勿論、ディスプレイ５にリスト表示してユーザからの選択を受けて決定することが好ましい。
【００７０】
一方ステップＳ１２３にて日照無と判断された場合（Ｓ１２３：ＮＯ）、制御部１０は、受信して記憶した駐車場の情報に基づき、屋内か否か、又は日陰ありの情報以外の情報に基づき推奨される駐車場を決定する（ステップＳ１２５）。ステップＳ１２５にて制御部１０は例えば、目的地の敷地内の駐車場、目的地に最も近い駐車場又は目的地を提携施設とする駐車場を優先して決定する。
【００７１】
屋内又は日陰ありの駐車場を優先して決定した場合（Ｓ１２４）、制御部１０は、選択した駐車場が屋内駐車場（屋根付きの駐車場）であるか否かを判断する（Ｓ１０８）。屋内駐車場でないと判断された場合（Ｓ１０８：ＮＯ）、制御部１０は目的地に接近しているか否かを判断し（Ｓ１０９）、目的地に接近したと判断された場合に空き情報を問い合わせ（Ｓ１１０）、空きがあるか否かを判断する（Ｓ１１１）。そして空きがあると判断された場合（Ｓ１１１：ＹＥＳ）、日陰有りの駐車場が選択決定されているので、そのまま日陰のエリアまでの経路を詳細に案内する画面及び音声、又はいずれか一方を出力し（Ｓ１１４）、処理をステップＳ１１５へ進める。
【００７２】
他の情報に基づいて駐車場を決定した場合（Ｓ１２５）、制御部１０は、処理をステップＳ１１７へ進めて目的地に接近したと判断されるまで経路案内を続行し、目的地に接近したと判断された場合には推奨エリアへの詳細な経路案内を出力する（Ｓ１１８）。
【００７３】
また屋内又は日陰ありの駐車場を優先して決定した場合であっても（Ｓ１２４）、ステップＳ１０８にて、決定された駐車場が屋内駐車場であると判断されたときは（Ｓ１０８：ＹＥＳ）、制御部１０は処理をステップＳ１１７へ進める。またステップＳ１１１にて空き無し即ち満車であると判断された場合も（Ｓ１１１：ＮＯ）、制御部１０は処理をステップＳ１１８へ進める。
【００７４】
実施の形態２においても、ユーザは、目的地へ接近中に、再び車輌Ｖに乗り込む時刻に日陰エリアとなっている場所を知ることができる。したがって目的地へ滞在した後に再び車輌Ｖに乗り込む際に車室内が不快なほどに高温となっていることを回避できる可能性が高い。そして実施の形態２では、季節、天候、時刻に応じて詳細に、車室内が不快なほどに高温となるような状態のときのみに日陰エリアへの案内が出力される構成とした。これにより、ナビＥＣＵ１における案内をより適正化することができる。
【００７５】
なお上述の実施の形態１及び２においては、日陰のエリアを含むか否かの情報は、サーバ装置４にて記憶されており、ナビＥＣＵ１は車外通信ＥＣＵ２を介して取得する構成とした。しかしながらナビＥＣＵ１は、別途地図情報サービスから日陰のエリアの有無を特定する情報を取得してもよいし、周辺の建物の高さ等の情報を取得して制御部１０自身の処理により時間帯から日陰のエリアを特定する処理を行なうようにしてもよい。
【００７６】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７７】
１  ナビゲーションＥＣＵ（情報提供装置）
１０  制御部
１１  記憶部
１２  入力部
１３  出力部
１４  ＧＰＳ受信部
１５  通信部
２  車外通信ＥＣＵ
３  車内ネットワーク
４  サーバ装置
４０  制御部
４１  記憶部
４２  通信部
４５  基地局
５  ディスプレイ
６  スピーカ
Ｎ  ネットワーク
【図１】
2017161481.tif 000003
【図２】
2017161481.tif 000004
【図３】
2017161481.tif 000005
【図４】
2017161481.tif 000006
【図５】
2017161481.tif 000007
【図６】
2017161481.tif 000008
【図７】
2017161481.tif 000009
【図８】
2017161481.tif 000010
【図９】
2017161481.tif 000011
【図１０】
2017161481.tif 000012